(57)【要約】【課題】媒体をセットする際に媒体を損傷させることがないようにする。【解決手段】載置面Ｓｐを備えた媒体載置部と、載置面Ｓｐに対して所定の方向に移動自在に配設され、媒体の移動を規制する規制部材６１とを有する。規制部材６１は第１の係合部を備え、媒体載置部は、載置面Ｓｐと反対側の面に第２の係合部を備え、前記第１、第２の係合部を係合させることによって、前記規制部材は、媒体載置部上における所定の位置で位置決めされる。第１、第２の係合部が載置面と反対側で係合させられるので、載置面を平坦にすることができる。媒体収容装置に媒体をセッ卜する際に、媒体の端部が第１の係合部と干渉することがないので、媒体を損傷させることがない。【選択図】図１
2019026411.tif 000002
【特許請求の範囲】
【請求項１】
（ａ）媒体が載置される載置面を備えた媒体載置部と、
（ｂ）前記載置面に対して所定の方向に移動自在に配設され、媒体の移動を規制する規制部材とを有するとともに、
（ｃ）該規制部材は第１の係合部を備え、
（ｄ）前記媒体載置部は、前記載置面と反対側の面に、前記第１の係合部と係合させられる第２の係合部を備え、
（ｅ）前記第１、第２の係合部を係合させることによって、前記規制部材が、媒体載置部上における所定の位置で位置決めされることを特徴とする媒体収容装置。
【請求項２】
前記規制部材は、前記媒体載置部の載置面側に、前記第１、第２の係合部の係合を解除するための操作部材を備える請求項１に記載の媒体収容装置。
【請求項３】
（ａ）前記規制部材は、前記第１の係合部を、第２の係合部と係合させる方向に向けて付勢する付勢部材を備え、
（ｂ）前記操作部材は、前記付勢部材の付勢力に抗して第１の係合部を、前記第２の係合部との係合を解除する方向に移動させるアームを備える請求項２に記載の媒体収容装置。
【請求項４】
（ａ）前記操作部材は、前記アームと一体に形成された操作部を備え、
（ｂ）操作者が操作部を操作することによって、操作部材が、アームと操作部との間に配設された回転軸を中心に揺動させられる請求項３に記載の媒体収容装置。
【請求項５】
前記規制部材は、媒体載置部を貫通して延在させられ、前記アームの動きを載置面側から載置面と反対側に伝達する連結部材を備える請求項３又は４に記載の媒体収容装置。
【請求項６】
前記連結部材は、載置面と反対側に前記第１の係合部を備える請求項５に記載の媒体収容装置。
【請求項７】
（ａ）前記規制部材は、載置面と当接する底面部を備え、
（ｂ）前記付勢部材は、前記アームと前記底面部との間に配設された圧縮スプリングである請求項３〜６のいずれか１項に記載の媒体収容装置。
【請求項８】
（ａ）前記規制部材は、媒体の移動を規制する規制面を備え、
（ｂ）前記操作部は、前記規制部材の規制面と反対側に配設され、
（ｃ）前記第１の係合部は、前記規制部材の規制面側で前記第２の係合部と係合させられる請求項４に記載の媒体収容装置。
【請求項９】
請求項１〜８のいずれか１項に記載の媒体収容装置を備えた画像形成装置。
【発明の詳細な説明】
【技術分野】
【０００１】
本発明は、媒体収容装置及び画像形成装置に関するものである。
【背景技術】
【０００２】
従来、プリンタ、複写機、ファクシミリ、複合機等の画像形成装置、例えば、プリンタにおいては、プリンタの本体、すなわち、装置本体に対して媒体収容装置としての用紙カセットが着脱自在に配設され、該用紙カセットに、媒体としての用紙が積層された状態で収容されるようになっている。
【０００３】
前記用紙カセットには、ピックアップローラ、フィードローラ及び分離ローラが配設され、用紙カセット内の用紙が、ピックアップローラによって繰り出され、フィードローラ及び分離ローラによって１枚ずつ分離させられて用紙搬送路に給紙され、画像形成部に送られ、該画像形成部において用紙に画像が形成される。
【０００４】
また、前記用紙カセットは、用紙を載置するための用紙載置部、該用紙載置部において用紙の幅方向における両端、すなわち、両縁と対向させて配設され、用紙の幅方向における移動を規制するサイドガイド、用紙の長手方向における後方の端部、すなわち、後端と対向させて配設され、用紙の長手方向における移動（後方への移動）を規制するリヤガイド等を有する。
【０００５】
ところで、前記用紙載置部における用紙が載置される面、すなわち、載置面に、用紙の長手方向に並べて配設された複数の歯から成る位置決めラック部が形成され、リヤガイドに、位置決めラック部と対向させて、所定の数の歯から成るガイドラック部が形成され、ガイドラック部の歯と位置決めラック部の歯とを選択的に係合させることによって、リヤガイドを、用紙の長手方向において位置決めすることができるようにした用紙カセットが提供されている（例えば、特許文献１参照。）。
【先行技術文献】
【特許文献】
【０００６】
【特許文献１】特開２００７−２２３６８６号公報
【発明の概要】
【発明が解決しようとする課題】
【０００７】
しかしながら、前記従来の用紙カセットにおいては、位置決めラック部の各歯が載置面において露出しているので、用紙カセットに用紙をセッ卜する際に、用紙と位置決めラック部の歯とが干渉することがあり、その場合、用紙を損傷させてしまう。
【０００８】
本発明は、前記従来の用紙カセットの問題点を解決して、媒体をセットする際に媒体を損傷させることがない媒体収容装置及び画像形成装置を提供することを目的とする。
【課題を解決するための手段】
【０００９】
そのために、本発明の媒体収容装置においては、媒体が載置される載置面を備えた媒体載置部と、前記載置面に対して所定の方向に移動自在に配設され、媒体の移動を規制する規制部材とを有する。
【００１０】
そして、該規制部材は第１の係合部を備える。
【００１１】
また、前記媒体載置部は、前記載置面と反対側の面に、前記第１の係合部と係合させられる第２の係合部を備える。
【００１２】
そして、前記第１、第２の係合部を係合させることによって、前記規制部材が、媒体載置部上における所定の位置で位置決めされる。
【発明の効果】
【００１３】
本発明によれば、媒体収容装置においては、媒体が載置される載置面を備えた媒体載置部と、前記載置面に対して所定の方向に移動自在に配設され、媒体の移動を規制する規制部材とを有する。
【００１４】
そして、該規制部材は第１の係合部を備える。
【００１５】
また、前記媒体載置部は、前記載置面と反対側の面に、前記第１の係合部と係合させられる第２の係合部を備える。
【００１６】
そして、前記第１、第２の係合部を係合させることによって、前記規制部材が、媒体載置部上における所定の位置で位置決めされる。
【００１７】
この場合、第１、第２の係合部が載置面と反対側で係合させられるので、載置面を平坦にすることができる。
【００１８】
したがって、媒体収容装置に媒体をセッ卜する際に、媒体の端部が第１の係合部と干渉することがないので、媒体を損傷させることがない。
【００１９】
また、規制部材に外力が加わっても、第１、第２の係合部が互いに噛み込む方向にモーメントが発生するので、第１、第２の係合部の係合が解除されることがない。したがって、規制部材を精度良く位置決めすることができる。
【図面の簡単な説明】
【００２０】
【図１】本発明の実施の形態における用紙カセットの要部断面図である。
【図２】本発明の実施の形態におけるプリンタの概念図である。
【図３】本発明の実施の形態における用紙カセットの概念図である。
【図４】本発明の実施の形態におけるサイドガイドの連結状態を示す図である。
【図５】図１のＡ−Ａ断面図である。
【図６】本発明の実施の形態における用紙カセットに用紙をセットする際のリヤガイドの動作を説明するための第１の図である。
【図７】本発明の実施の形態における用紙カセットに用紙をセットする際のリヤガイドの動作を説明するための第２の図である。
【発明を実施するための形態】
【００２１】
以下、本発明の実施の形態について図面を参照しながら詳細に説明する。この場合、画像形成装置としてのプリンタについて説明する。
【００２２】
図２は本発明の実施の形態におけるプリンタの概念図である。
【００２３】
図において、１０はプリンタ、Ｃｓは筐体、１３Ｂｋ、１３Ｙ、１３Ｍ、１３Ｃはブラック、イエロー、マゼンタ及びシアンの各色の画像形成ユニットであり、該各画像形成ユニット１３Ｂｋ、１３Ｙ、１３Ｍ、１３Ｃは、回転自在に配設された像担持体としての感光体ドラム３１を備える。
【００２４】
また、３３は、各感光体ドラム３１の上方において、感光体ドラム３１と対向させて配設された露光装置としてのＬＥＤヘッドであり、各画像形成ユニット１３Ｂｋ、１３Ｙ、１３Ｍ、１３Ｃ及び各ＬＥＤヘッド３３によって画像形成部Ｑが形成される。
【００２５】
前記各画像形成ユニット１３Ｂｋ、１３Ｙ、１３Ｍ、１３Ｃは、各感光体ドラム３１と当接させて回転自在に配設された帯電装置としての帯電ローラ３２及び現像剤担持体としての現像ローラ３４、該現像ローラ３４と当接させて回転自在に配設された第１の現像剤供給部材としての第１のトナー供給ローラ３５、該第１のトナー供給ローラ３５と当接させて回転自在に配設された第２の現像剤供給部材としての第２のトナー供給ローラ３６等を備える。
【００２６】
前記感光体ドラム３１の表面が、帯電ローラ３２によって一様に帯電させられ、前記ＬＥＤヘッド３３によって露光されると、感光体ドラム３１の表面に潜像としての静電潜像が形成される。そして、第２のトナー供給ローラ３６が、現像剤収容部としてのトナーカートリッジ３７から供給された現像剤としてのトナーを第１のトナー供給ローラ３５を介して現像ローラ３４に供給し、現像ローラ３４が、トナーを前記静電潜像に付着させて現像を行うと、感光体ドラム３１上に現像剤像としてのトナー像が形成される。
【００２７】
また、プリンタ１０の本体、すなわち、装置本体内における下部に、媒体としての用紙Ｐを積層された状態で収容する媒体収容装置としての用紙カセット２２が装置本体に対して着脱自在に配設される。
【００２８】
前記用紙カセット２２は、用紙Ｐを載置するための媒体載置部としての用紙載置部２８、該用紙載置部２８において、用紙Ｐの幅方向における両端、すなわち、用紙Ｐの両縁と対向させて配設され、用紙Ｐの幅方向における移動を規制する、後述される第１の規制案内部としてのサイドガイド２９（図３）、用紙Ｐの長手方向における後方（用紙Ｐの搬送方向における上流側）の端部、すなわち、用紙Ｐの後端と対向させて配設され、用紙Ｐの長手方向における移動（後方への移動）を規制する第２の規制案内部としてのリヤガイド３０等を有する。
【００２９】
また、前記用紙カセット２２の長手方向における前方（用紙Ｐの搬送方向における下流側）の端部、すなわち、用紙カセット２２の前端に、繰出部材としてのピックアップローラ４１が、用紙載置部２８に載置された用紙Ｐと当接させて配設される。そして、前記ピックアップローラ４１と隣接させて給紙部材としてのフィードローラ４３が配設され、該フィードローラ４３と当接させて分離部材としての分離ローラ４４が配設され、ピックアップローラ４１によって繰り出された用紙Ｐは、フィードローラ４３及び分離ローラ４４によって１枚ずつ分離させられて第１の媒体搬送路としての用紙搬送路Ｒｔ１に給紙される。
【００３０】
該用紙搬送路Ｒｔ１には、第１、第２の搬送部材としての搬送ローラ対ｍ１、ｍ２、及び第３の搬送部材としてのレジストローラ対ｍ３が回転自在に配設される。用紙搬送路Ｒｔ１に給紙された用紙Ｐは、搬送ローラ対ｍ１、ｍ２によって搬送され、レジストローラ対ｍ３によって斜行が矯正され、前記画像形成部Ｑに供給される。
【００３１】
また、装置本体内における画像形成部Ｑの下方には、前記各感光体ドラム３１に形成されたトナー像を用紙Ｐに転写するために転写ユニットｕ１が配設される。
【００３２】
該転写ユニットｕ１は、画像形成部Ｑの下方における画像形成ユニット１３Ｃの近傍において回転自在に配設された第１のローラとしての駆動ローラＲ１、画像形成部Ｑの下方における画像形成ユニット１３Ｂｋの近傍において回転自在に配設された第２のローラとしての従動ローラＲ２、前記駆動ローラＲ１及び従動ローラＲ２によって張設され、駆動ローラＲ１の回転に伴って矢印Ａ方向に走行させられ、走行に伴って用紙Ｐを搬送する転写ベルト４５、該転写ベルト４５を介して各感光体ドラム３１と対向させて配設され、各色のトナー像を順次重ねて用紙Ｐに転写し、カラーのトナー像を形成する転写部材としての転写ローラ４６、前記転写ベルト４５を介して従動ローラＲ２と対向させて配設され、転写ベルト４５上のトナーを掻き取ることによって除去するクリーニング部材としてのクリーニングブレード４７、該クリーニングブレード４７によって除去されたトナーが溜められる廃トナータンク４８等を備える。
【００３３】
前記用紙搬送路Ｒｔ１における画像形成部Ｑより下流側には、定着装置としての定着器２３が配設される。該定着器２３は、回転自在に配設れた第１の定着部材としての加熱ローラ２５、該加熱ローラ２５と当接させて回転自在に配設された第２の定着部材としての加圧ローラ２６、前記加熱ローラ２５内に配設された加熱体としてのハロゲンランプ２７等を備え、定着器２３において、画像形成部Ｑから送られた用紙Ｐ上のカラーのトナー像が加熱され、加圧されて用紙Ｐに定着させられ、用紙Ｐ上にカラーの画像が形成される。
【００３４】
そして、前記用紙搬送路Ｒｔ１における定着器２３より下流側に、第４の搬送部材としての搬送ローラ対ｍ４及び第５の搬送部材としての排出ローラ対ｍ５が配設され、搬送ローラ対ｍ４によって搬送された用紙Ｐは、排出ローラ対ｍ５を介して、筐体Ｃｓに形成された排出口５１から装置本体外に排出され、スタッカ５２に積載される。
【００３５】
前記プリンタ１０においては、用紙Ｐの片面及び両面に印刷を行うことができるようになっていて、そのために、前記用紙搬送路Ｒｔ１における搬送ローラ対ｍ４より下流側に、第２の媒体搬送路としての用紙搬送路Ｒｔ２が分岐させて形成され、該用紙搬送路Ｒｔ２に第６の搬送部材としての搬送ローラ対ｍ６が配設される。また、用紙搬送路Ｒｔ２における搬送ローラ対ｍ６より上流側に、第３の媒体搬送路としての用紙搬送路Ｒｔ３が分岐させて形成され、該用紙搬送路Ｒｔ３に第７〜第９の搬送部材としての搬送ローラ対ｍ７〜ｍ９が配設される。前記用紙搬送路Ｒｔ３は、用紙搬送路Ｒｔ１における搬送ローラ対ｍ２より上流側において用紙搬送路Ｒｔ１と合流させられる。
【００３６】
そして、前記用紙搬送路Ｒｔ１における搬送ローラ対ｍ４より下流側に、搬送ローラ対ｍ４と隣接させて、用紙Ｐを案内する向きを切り替える第１の切替部材としての切替ガイド５５が配設され、前記用紙搬送路Ｒｔ２における搬送ローラ対ｍ６より上流側に、搬送ローラ対ｍ６と隣接させて、用紙Ｐを案内する向きを切り替える第２の切替部材としての切替ガイド５６が配設される。前記切替ガイド５５は、定着器２３から排出された用紙Ｐを排出口５１に向けて案内するための第１の位置ａ、及び定着器２３から排出された用紙Ｐを用紙搬送路Ｒｔ２に案内するための第２の位置ｂに置かれ、前記切替ガイド５６は、切替ガイド５５によって案内された用紙Ｐを、用紙搬送路Ｒｔ２における搬送ローラ対ｍ６より先の媒体退避部ｑ１に退避させるための第１の位置ｃ、及び媒体退避部ｑ１に退避させた用紙Ｐを反転させ、用紙搬送路Ｒｔ３に案内するための第２の位置ｄに置かれる。
【００３７】
用紙Ｐの片面に印刷を行う場合は、切替ガイド５５が第１の位置ａに置かれ、定着器２３から排出された用紙Ｐは、用紙搬送路Ｒｔ１を搬送され、排出口５１から装置本体外に排出され、スタッカ５２に積載される。
【００３８】
また、用紙Ｐの両面に印刷を行う場合は、まず、切替ガイド５５が第２の位置ｂに、切替ガイド５６が第１の位置ｃに置かれ、表面側にカラーの画像が形成され、定着器２３から排出された用紙Ｐが、用紙搬送路Ｒｔ２の媒体退避部ｑ１に退避させられる。続いて、切替ガイド５５が第１の位置ａに、切替ガイド５６が第２の位置ｄに置かれ、媒体退避部ｑ１に退避させられた用紙Ｐは、反転させられて用紙搬送路Ｒｔ３に案内され、用紙搬送路Ｒｔ３を搬送され、用紙搬送路Ｒｔ１に送られる。そして、裏面側にカラーの画像が形成され、定着器２３から排出された用紙Ｐは、用紙搬送路Ｒｔ１を搬送され、排出口５１から装置本体外に排出され、スタッカ５２に積載される。
【００３９】
次に、用紙カセット２２について説明する。
【００４０】
図１は本発明の実施の形態における用紙カセットの要部断面図、図３は本発明の実施の形態における用紙カセットの概念図、図４は本発明の実施の形態におけるサイドガイドの連結状態を示す図、図５は図１のＡ−Ａ断面図である。
【００４１】
図において、２２は用紙カセットであり、該用紙カセット２２は、箱状の形状を有する媒体収容フレームとしてのカセットフレームＦｒ、該カセットフレームＦｒ内において、底壁Ｗｂに対して所定の方向、本実施の形態においては、スリットＳＬ１に沿って矢印Ｂ方向に移動自在に配設された一対のサイドガイド２９、前記カセットフレームＦｒ内において、底壁Ｗｂに対して所定の方向、本実施の形態においては、スリットＳＬ２に沿って矢印Ｃ方向に移動自在に配設されたリヤガイド３０等を備える。
【００４２】
また、前記カセットフレームＦｒは、前記底壁Ｗｂ、用紙カセット２２の前端に形成された前壁Ｗｆ、側壁Ｗｓ１、Ｗｓ２、及び用紙カセット２２の長手方向における後方（用紙Ｐの搬送方向における上流側）の端部、すなわち、用紙カセット２２の後端に形成された後壁Ｗｒを備える。
【００４３】
本実施の形態においては、用紙載置部２８が前記底壁Ｗｂによって形成されるようになっているが、実際の用紙載置部２８は、底壁Ｗｂにおける後壁Ｗｒ側の後半部、及び底壁Ｗｂにおける前壁Ｗｆ側の前半部に底壁Ｗｂとは別に揺動自在に配設された用紙載置プレートから成り、用紙Ｐは底壁Ｗｂの後半部及び用紙載置プレートに載置される。なお、前記サイドガイド２９は用紙載置プレートに配設される。そして、用紙載置プレートは、用紙カセット２２内の用紙Ｐの残量に応じて傾き、最も上の用紙Ｐを前記ピックアップローラ４１（図２）に押し付ける。
【００４４】
前記サイドガイド２９は、用紙Ｐの幅方向において、用紙カセット２２にセットされる用紙Ｐのサイズ、すなわち、用紙サイズに対応させて位置決めされ、用紙Ｐの幅方向における移動を規制する。そのために、各サイドガイド２９は、用紙載置部２８に対して用紙Ｐの幅方向に摺動自在に配設された支持部２９ａ、及び用紙Ｐの両縁と対向させて、前記支持部２９ａから立ち上げて形成された立上部２９ｂを備え、該立上部２９ｂの用紙Ｐの両縁と対向する面に規制面Ｓａが形成される。
【００４５】
また、前記各サイドガイド２９は、底壁Ｗｂの下方に配設された連結部５７を介して互いに連結される。該連結部５７は、底壁Ｗｂに対して回転自在に取り付けられたピニオンギヤＰｇ、及び各サイドガイド２９の支持部２９ａからピニオンギヤＰｇに向けて延在させて配設され、互いに対向する位置でピニオンＰｇと噛合させられるラックＬｋから成る。したがって、各サイドガイド２９を連動させて移動させることができ、各サイドガイド２９を、カセットフレームＦｒの中央に向けて移動させたり、側壁Ｗｓ１、Ｗｓ２に向けて移動させたりすることができる。
【００４６】
そして、用紙Ｐを用紙載置部２８上に載置し、サイドガイド２９を移動させて立上部２９ｂを用紙Ｐの両縁に当接させることによって、用紙Ｐの幅方向における移動が規制される。
【００４７】
また、前記リヤガイド３０は、用紙Ｐの搬送方向において、用紙カセット２２にセットされる用紙Ｐの用紙サイズに対応させて位置決めされ、用紙Ｐの後方への移動を規制する。
【００４８】
そのために、リヤガイド３０は、底壁Ｗｂに対して用紙Ｐの搬送方向に摺動自在に配設された規制部材６１、該規制部材６１に対して移動自在に、本実施の形態においては、揺動自在に配設された操作部材６２、前記規制部材６１を底壁Ｗｂに対して選択的に移動不能にするロック部材６３、該ロック部材６３の状態を保持する状態保持部材としての、かつ、付勢部材としての一対の圧縮スプリング６４等を備える。
【００４９】
前記規制部材６１は、用紙Ｐの幅方向及び搬送方向において所定の寸法及び高さを有する中空のブロックから成り、前記前壁Ｗｆと対向させて形成された前面部Ｐｆ、前記後壁Ｗｒと対向させて形成された背面部Ｐｒ、前記側壁Ｗｓ１、Ｗｓ２と対向させて形成された側面部Ｐｓ１、Ｐｓ２、及び前記底壁Ｗｂと当接させて形成された底面部Ｐｂを備え、前面部Ｐｆの用紙Ｐの後端面Ｓｄ（図７）と当接する部分が、用紙Ｐの後方への移動を規制する規制面Ｓｂとなり、底面部Ｐｂが、底壁Ｗｂと摺動する摺動面Ｓｃとなる。また、底壁Ｗｂにおいて用紙Ｐが載置される面が載置面Ｓｐとなる。
【００５０】
前記規制部材６１は上方が開放されていて、操作者は、規制部材６１の上面に形成された開口７１を介して操作部材６２を操作することができる。
【００５１】
該操作部材６２は、前記規制部材６１における側面部Ｐｓ１、Ｐｓ２に配設された回転軸ｓｈ１を揺動中心にして、規制部材６１に対して揺動自在に支持される。また、前記操作部材６２は、断面が「Ｌ」字状の形状を有し、前記規制部材６１内における背面部Ｐｒ側（規制面Ｓｂと反対側）において、回転軸ｓｈ１より上方に向けて延在させて形成された操作部としてのプレート状のレバー７３、及び回転軸ｓｈ１より前方に向けて、かつ、レバー７３に対して所定の角度を成すように、本実施の形態においては、直交するように前面部Ｐｆに向けて延在させてレバー７３と一体に形成され、レバー７３の動きを前記ロック部材６３に伝達する伝達部材としての一対のアーム７４から成る。操作部材６２の初期状態において、図１に示されるように、レバー７３は鉛直方向に延在させられ、アーム７４は水平方向に延在させられる。
【００５２】
操作者が、レバー７３に指を掛け、用紙Ｐの搬送方向における前方（図１における時計回り方向）に倒すと、レバー７３とアーム７４との間に配設された回転軸ｓｈ１を中心に操作部材６２が回動させられ、アーム７４の先端が下方に移動させられる。
【００５３】
また、ロック部材６３は、規制部材６１を、底壁Ｗｂに対して移動不能にするロック状態、及び底壁Ｗｂに対して移動可能にするロック解除状態に置く。
【００５４】
そのために、前記ロック部材６３は、前記アーム７４の先端の下方において、前面部Ｐｆに隣接させて配設され、底面部Ｐｂ及び底壁ＷｂのスリットＳＬ２を貫通して延在させられ、上位置及び下位置に置かれ、アーム７４の動きを、載置面Ｓｐ側である底壁Ｗｂの表面側から、載置面Ｓｐと反対側である底壁Ｗｂの裏面側に伝達する連結部材７６を備え、底壁Ｗｂの裏面側において、連結部材７６と底壁Ｗｂとの間に係合部としての噛合部Ｒｃが形成される。
【００５５】
前記連結部材７６は、「Ｈ」字状の形状を有し、用紙Ｐの幅方向に延在させて、二つのアーム７４の先端と当接自在に配設され、アーム７４の動きを受ける第１の伝達部材としての動作受け部８１、該動作受け部８１から下方に向けて形成され、底面部Ｐｂ及び底壁ＷｂのスリットＳＬ２を貫通して延在させられ、アーム７４の動きを噛合部Ｒｃに伝達する第２の伝達部材としての動作伝達部８２、及び底壁Ｗｂの裏面側において用紙Ｐの幅方向に延在させられた第３の伝達部材としてのガイドラック部８３を備える。
【００５６】
また、前記底壁Ｗｂの裏面における所定の領域、本実施の形態においては、用紙Ｐの用紙サイズに応じて規制部材６１が移動させられる範囲に、位置決めラック部８４が形成される。
【００５７】
そして、前記噛合部Ｒｃは、前記ガイドラック部８３における位置決めラック部８４と対向する面に、位置決めラック部８４に向けて突出させて形成された複数の、本実施の形態においては、６個の第１の係合部としての歯８８、及び前記位置決めラック部８４におけるガイドラック部８３と対向する面に、ガイドラック部８３に向けて突出させて形成された第２の係合部としての複数の歯８９から成り、各歯８８、８９は、操作者による操作部材６２の操作に伴い、規制面Ｓｂ側で係合（噛合）、本実施の形態においては、選択的に係合させられる。
【００５８】
前記各歯８８、８９は、動作伝達部８２の両側に、用紙Ｐの長手方向において所定のピッチで、用紙Ｐの幅方向において所定の幅で形成される。
【００５９】
なお、前記ガイドラック部８３は、６個の歯８８を備え、連結部材７６の直下の部分、及び該直下の部分より用紙カセット２２の前方側に突出させて形成された部分から成る。
【００６０】
前記連結部材７６が上位置に置かれると、歯８８、８９が係合させられ、規制部材６１が、底壁Ｗｂに対して移動不能なロック状態に置かれ、前記連結部材７６が下位置に置かれると、歯８８、８９の係合が解除され、規制部材６１が、載置面Ｓｐ上で移動可能なロック解除状態に置かれる。
【００６１】
また、前記圧縮スプリング６４は、一方の端部を前記動作受け部８１と当接させて、他方の端部を規制部材６１の底面部Ｐｂと当接させて配設され、連結部材７６を、上方に向けて、すなわち、歯８８を歯８９と係合させる方向に向けて所定の付勢力で付勢し、アーム７４の先端を上方に向けて押す。
【００６２】
したがって、操作者によって操作部材６２が操作されない状態において、連結部材７６は上位置に置かれ、操作部材６２は、図１に示される初期状態に置かれる。その結果、歯８８、８９が係合させられ、規制部材６１はロック状態に置かれる。
【００６３】
そして、操作者がレバー７３を前方に倒すと、操作部材６２が回動させられ、アーム７４の前端が下方に移動させられる。これにより、圧縮スプリング６４の付勢力に抗して連結部材７６が下方に移動させられ、下位置に置かれる。その結果、歯８８、８９の係合が解除され、規制部材６１がロック解除状態に置かれる。
【００６４】
次に、用紙カセット２２に用紙Ｐをセットする際のリヤガイド３０の動作について説明する。
【００６５】
図６は本発明の実施の形態における用紙カセットに用紙をセットする際のリヤガイドの動作を説明するための第１の図、図７は本発明の実施の形態における用紙カセットに用紙をセットする際のリヤガイドの動作を説明するための第２の図である。
【００６６】
図において、２２は用紙カセット、３０はリヤガイド、６１は規制部材、Ｐは用紙である。
【００６７】
用紙カセット２２に用紙Ｐをセットする場合、操作者は、まず、用紙Ｐの前端を用紙カセット２２の前端に設定された媒体基準面に突き当てるようにして、用紙Ｐを用紙載置部２８上に置く。
【００６８】
このとき、規制部材６１は、載置面Ｓｐ上における用紙Ｐの後端より後方に置かれる。そして、図６に示されるように、連結部材７６が上位置に置かれ、歯８８、８９が係合させられ、規制部材６１はロック状態に置かれる。
【００６９】
次に、操作者は、図７に示されるように、レバー７３を前方に倒し、操作部材６２を回動させ、歯８８、８９の係合を解除し、規制部材６１をロック解除状態に置く。続いて、操作者は、そのままレバー７３を前方に向けて押し続けることによって、規制部材６１を用紙Ｐに向けて移動させる。
【００７０】
そして、用紙Ｐの後端面Ｓｄに規制部材６１の規制面Ｓｂが当接する位置で、操作者がレバー７３から指を離すと、圧縮スプリング６４の付勢力によって、連結部材７６は、上方に向けて移動させられ、上位置に置かれる。その結果、歯８８、８９が係合させられ、規制部材６１はロック状態に置かれる。このようにして、規制部材６１（リヤガイド３０）を用紙載置部２８上において、用紙Ｐの用紙サイズに対応する位置で位置決めすることができる。
【００７１】
なお、最初に、用紙Ｐの前端を媒体基準面に突き当てることなく、用紙Ｐを用紙載置部２８上に置いた後、レバー７３を前方に倒し、規制部材６１をロック解除状態に置き、そのままレバー７３を前方に向けて押し続けることによって、用紙Ｐを前方に移動させ、用紙Ｐの前端を媒体基準面に突き当てることができる。
【００７２】
このように、本実施の形態においては、歯８８、８９が底壁Ｗｂの裏面側で係合させられるので、載置面Ｓｐを平坦にすることができる。
【００７３】
したがって、用紙カセット２２に用紙Ｐをセッ卜する際に、用紙Ｐの後端が歯８８と干渉することがないので、用紙Ｐを損傷させることがない。
【００７４】
また、規制部材６１に外力が加わっても、歯８８、８９が互いに噛み込む方向にモーメントが発生するので、歯８８、８９の係合が解除されることがない。したがって、リヤガイド３０を精度良く位置決めすることができる。
【００７５】
本実施の形態においては、リヤガイド３０において、ロック部材６３が底壁Ｗｂを貫通して延在させて形成され、底壁Ｗｂの裏面側に噛合部Ｒｃが形成され、歯８８、８９が係合させられたり、歯８８、８９の係合が解除されたりするようになっているが、サイドガイド２９（図３）においても、ロック部材を、底壁Ｗｂを貫通して延在させて配設し、底壁Ｗｂの裏面側に噛合部を形成することができる。
【００７６】
また、本実施の形態においては、プリンタ１０について説明しているが、本発明を複写機、ファクシミリ、複合機等の画像形成装置に適用することができる。
【００７７】
なお、本発明は前記実施の形態に限定されるものではなく、本発明の趣旨に基づいて種々変形させることが可能であり、それらを本発明の範囲から排除するものではない。
【符号の説明】
【００７８】
２２    用紙カセット
２８    用紙載置部
６１    規制部材
８８、８９    歯
Ｐ    用紙
Ｓｐ    載置面
【図１】
2019026411.tif 000003
【図２】
2019026411.tif 000004
【図３】
2019026411.tif 000005
【図４】
2019026411.tif 000006
【図５】
2019026411.tif 000007
【図６】
2019026411.tif 000008
【図７】
2019026411.tif 000009